(57)【要約】【課題】帰宅した居住者が住居内にいる不審者と鉢合わせするのを回避する。【解決手段】電気錠システム１は、非接触キーのＩＤ情報と登録情報が一致し、かつ電気錠１２が施錠状態であるときにインターホン親機３へ帰宅情報を送信する。そして、インターホン親機３は、電気錠システム１からの帰宅情報を受信したときに防犯センサー２の検知履歴をドアホン子器４のスピーカー４１ｂから音声メッセージとして通知する。【選択図】図１
2010035128.tif 000002
【特許請求の範囲】
【請求項１】
電気錠システムと、インターホン親機と、ドアホン子器と、防犯センサーとで構成されたインターホンシステムであって、
前記電気錠システムは、
居住者の帰宅を検出する帰宅検出手段と、
前記帰宅検出手段により居住者の帰宅が検出されたときに前記インターホン親機へ帰宅情報を送信する帰宅情報送信手段とを備え、
前記インターホン親機は、
前記防犯センサーからの検知情報を受信する検知情報受信手段と、
前記検知情報受信手段により受信された検知情報を検知履歴として記憶する検知履歴記憶手段と、
前記電気錠システムからの帰宅情報を受信する帰宅情報受信手段と、
前記帰宅情報受信手段により前記帰宅情報が受信されたときに前記検知履歴記憶手段により記憶された検知履歴を前記ドアホン子器の音声出力部から音声メッセージとして通知する検知履歴通知手段とを備えたことを特徴とするインターホンシステム。
【請求項２】
前記帰宅検出手段は、非接触キーのＩＤ情報又は居住者の生体情報などの居住者を認証するために必要な認証情報を取得する認証情報取得手段と、前記認証情報取得手段により取得された認証情報と登録情報とが一致するか否かを判断する認証情報判断手段とであり、
前記帰宅情報送信手段は、前記認証情報判断手段により前記認証情報と登録情報が一致すると判断され、かつ電気錠が施錠状態であるときに前記インターホン親機へ帰宅情報を送信することを特徴とする請求項１に記載のインターホンシステム。
【請求項３】
前記帰宅検出手段は、電気錠が施錠状態から解錠状態に切り替わったか否かを判断する解錠判断手段であり、
前記帰宅情報送信手段は、前記解錠判断手段により電気錠が施錠状態から解錠状態に切り替わったと判断されたときに前記インターホン親機へ帰宅情報を送信することを特徴とする請求項１に記載のインターホンシステム。
【請求項４】
前記検知履歴記憶手段は、前記検知情報受信手段により受信された検知情報をその検知時刻とともに検知履歴として記憶し、前記検知履歴通知手段は、前記検知履歴記憶手段により記憶された検知時刻を含む検知履歴をドアホン子器の音声出力部から音声メッセージとして通知することを特徴とする請求項１に記載のインターホンシステム。
【発明の詳細な説明】
【技術分野】
【０００１】
本発明は、防犯センサーの検知履歴を居住者に通知するインターホンシステムに関する。
【背景技術】
【０００２】
従来、電気錠システムと、インターホン親機と、防犯センサーと、ドアホン子器とで構成されたセキュリティ対応のインターホンシステムでは、非接触キーによる電気錠の施錠又は解錠に応じて警戒モードの設定又は解除を行っている（たとえば、特許文献１参照）。
【特許文献１】特許第３９９４９１９号
【発明の開示】
【発明が解決しようとする課題】
【０００３】
しかしながら、上記のようなインターホンシステムでは、インターホン親機において所定の操作を行わない限り防犯センサーの検知履歴が通知されないので、不審者が住居内にいるときにたまたま帰宅した居住者が不審者と鉢合わせする可能性がある。
【０００４】
本発明は、上記の課題を解決するためになされたもので、帰宅した居住者が住居内にいる不審者と鉢合わせするのを回避することができるインターホンシステムを提供することを目的としている。
【課題を解決するための手段】
【０００５】
本発明のインターホンシステムは、上記の課題を解決するために、電気錠システムと、インターホン親機と、ドアホン子器と、防犯センサーとで構成されたインターホンシステムであって、電気錠システムは、居住者の帰宅を検出する帰宅検出手段と、帰宅検出手段により居住者の帰宅が検出されたときにインターホン親機へ帰宅情報を送信する帰宅情報送信手段とを備え、インターホン親機は、防犯センサーからの検知情報を受信する検知情報受信手段と、検知情報受信手段により受信された検知情報を検知履歴として記憶する検知履歴記憶手段と、電気錠システムからの帰宅情報を受信する帰宅情報受信手段と、帰宅情報受信手段により帰宅情報が受信されたときに検知履歴記憶手段により記憶された検知履歴をドアホン子器の音声出力部から音声メッセージとして通知する検知履歴通知手段とを備えたことを特徴とする。
【０００６】
また、本願発明のインターホンシステムは、上記に加えて、帰宅検出手段は、非接触キーのＩＤ情報又は居住者の生体情報などの居住者を認証するために必要な認証情報を取得する認証情報取得手段と、認証情報取得手段により取得された認証情報と登録情報とが一致するか否かを判断する認証情報判断手段とであり、帰宅情報送信手段は、認証情報判断手段により認証情報と登録情報が一致すると判断され、かつ電気錠が施錠状態であるときにインターホン親機へ帰宅情報を送信することを特徴とする。
【０００７】
さらに、本発明のインターホンシステムは、上記に加えて、帰宅検出手段は、電気錠が施錠状態から解錠状態に切り替わったか否かを判断する解錠判断手段であり、帰宅情報送信手段は、解錠判断手段により電気錠が施錠状態から解錠状態に切り替わったと判断されたときにインターホン親機へ帰宅情報を送信することを特徴とする。
【０００８】
さらにまた、本発明のインターホンシステムは、上記に加えて、検知履歴記憶手段は、検知情報受信手段により受信された検知情報をその検知時刻とともに検知履歴として記憶し、検知履歴通知手段は、検知履歴記憶手段により記憶された検知時刻を含む検知履歴をドアホン子器の音声出力部から音声メッセージとして通知することを特徴とする。
【発明の効果】
【０００９】
本発明のインターホンシステムによれば、居住者が帰宅したときに、防犯センサーの検知履歴がドアホン子器から通知されるので、帰宅した居住者が住居内にいる不審者と鉢合わせするのを回避することができる。
【００１０】
また、本発明のインターホンシステムによれば、居住者が帰宅したときに、検知時刻を含む防犯センサーの検知履歴がドアホン子器から通知されるので、検知時刻がかなり前の場合には住居内に入り、検知時刻が少し前の場合には人を呼びに行くなどの対応を居住者が取りやすくなる。
【発明を実施するための最良の形態】
【００１１】
以下、図面を参照して、本発明の実施形態となるインターホンシステムについて説明する。
【００１２】
［第１実施形態］
まず、図１〜４を参照して、本発明の第１実施形態となるインターホンシステムの構成について説明する。
【００１３】
本発明の第１実施形態となるインターホンシステムは、図１に示すように、電気錠システム１と、一又は複数の防犯センサー２と、インターホン親機３と、ドアホン子器４とで構成されている。
【００１４】
電気錠システム１は、図２に示すように、非接触キーリーダー１１と、電気錠１２と、電気錠制御装置１３とを備えている。
【００１５】
非接触キーリーダー１１は、集合住宅や一般住宅の玄関先の外壁などに設置されるものであり、非接触キー（図示省略）のＩＤ情報を当該非接触キーから非接触で取得して電気錠制御装置１３へ送信する。この非接触キーリーダー１１としては、たとえば、非接触式ＩＣカードリーダーや非接触式ＩＣタグリーダーなどが用いられる。なお、非接触キーとしては、非接触キーリーダー１１に対応した非接触式ＩＣカードや非接触式ＩＣタグなどが用いられ、この非接触キーには、認証用のＩＤ情報があらかじめ記憶されている。
【００１６】
電気錠１２は、集合住宅や一般住宅の玄関口のドアなどに取り付けられるものであり、電気錠制御装置１３からの電気信号に応じてドアを施錠又は解錠する。
【００１７】
電気錠制御装置１３は、非接触キーのＩＤ情報と登録情報とが一致するか否かを判断する。そして、非接触キーのＩＤ情報と登録情報が一致し、かつ電気錠１２が解錠状態であるときには、電気錠制御装置１３は、電気錠１２を施錠するとともに、居住者が外出した旨の情報（以降、外出情報という。）をインターホン親機３へ送信する。一方、非接触キーのＩＤ情報と登録情報が一致し、かつ電気錠１２が施錠状態であるときには、電気錠制御装置１３は、電気錠１２を解錠するとともに、居住者が帰宅した旨の情報（以降、帰宅情報という。）をインターホン親機３へ送信する。なお、電気錠制御装置１３には、非接触キーを認証するための登録情報があらかじめ記憶されている。
【００１８】
防犯センサー２は、集合住宅や一般住宅の天井や窓などに設置されるものであり、住居内に侵入した不審者を検知してインターホン親機３へ検知情報を送信する。この防犯センサー２としては、たとえば、窓ガラスの破壊を検知するガラス破壊センサーや、住居内にいる不審者を検知する熱線センサー、窓の開閉を検知する窓開閉センサーなどが用いられる。
【００１９】
インターホン親機３は、集合住宅や一般住宅の室内壁などに設置されるものであり、図３に示すように、電気錠通信部３１と、警報受信部３２と、記憶部３３と、音声メッセージ作成部３４と、親機通話部３５と、制御部３６とを備えている。
【００２０】
電気錠通信部３１は、電気錠システム１との間でデータ通信を行う。警報受信部３２は、防犯センサー２からの検知情報を受信する。記憶部３３は、不揮発性の半導体メモリなどで構成されており、防犯センサー２の検知履歴を記憶する。音声メッセージ作成部３４は、防犯センサー２の検知履歴に基づいて音声メッセージを作成して親機通話部３５へ出力する。
【００２１】
親機通話部３５は、マイクロホン３５ａ及びスピーカー３５ｂを有しており、ドアホン子器４からの音声信号を受信してスピーカー３５ｂから出力するとともに、マイクロホン３５ａからの音声信号をドアホン子器４へ送信する。すなわち、親機通話部３５は、ドアホン子器４との間で通話可能な構成となっている。また、親機通話部３５は、音声メッセージ作成部３４からの音声メッセージを音声信号としてドアホン子器４へ送信する。
【００２２】
制御部３６は、居住者が外出してから帰宅するまでの防犯センサー２からの検知情報をその検知時刻とともに検知履歴として記憶部３３に保存する。また、制御部３６は、居住者が帰宅したときに、防犯センサー２の検知履歴を記憶部３３から読み出して音声メッセージ作成部３４へ出力する。なお、ここで、検知時刻とは、防犯センサー２からの検知情報が受信された時刻のことをいう。
【００２３】
ドアホン子器４は、集合住宅や一般住宅の玄関先の外壁などに設置されるものであり、図４に示すように、子器通話部４１を備えている。
【００２４】
子器通話部４１は、マイクロホン４１ａ及びスピーカー４１ｂを有しており、インターホン親機３からの音声信号を受信してスピーカー４１ｂから出力するとともに、マイクロホン４１ａからの音声信号をインターホン親機３へ送信する。すなわち、ドアホン子器４は、インターホン親機３との間で通話が可能な構成となっている。
【００２５】
つぎに、図５を参照して、本発明の第１実施形態に係る電気錠システム１の処理動作について説明する。
【００２６】
本発明の第１実施形態に係る電気錠システム１の処理動作は各機器の電源がオンされて初期動作が完了したタイミングで開始される。
【００２７】
ステップＳ１０１では、電気錠制御装置１３が、非接触キーのＩＤ情報を非接触キーリーダー１１が取得したか否かを判断する。そして、処理は、非接触キーのＩＤ情報を取得したタイミングでステップＳ１０２に進む。
【００２８】
ステップＳ１０２では、電気錠制御装置１３が、非接触キーリーダー１１により取得された非接触キーのＩＤ情報と登録情報が一致するか否かを判断する。非接触キーのＩＤ情報と登録情報が一致する場合には、処理は、ステップＳ１０３に進む。一方、非接触キーのＩＤ情報と登録情報が一致しない場合には、処理は、ステップＳ１０１に戻る。
【００２９】
ステップＳ１０３では、電気錠制御装置１３が、電気錠１２が解錠状態であるか否かを判断する。電気錠１２が解錠状態である場合には、処理は、ステップＳ１０４に進む。
【００３０】
ステップＳ１０４では、電気錠制御装置１３が電気錠１２を施錠する。その後、処理は、ステップＳ１０５に進む。
【００３１】
ステップＳ１０５では、電気錠制御装置１３が、インターホン親機３へ外出情報を送信する。これにより、電気錠システム１は、非接触キーのＩＤ情報と登録情報が一致し、かつ電気錠１２が解錠状態であるときにインターホン親機３へ外出情報を送信することとなる。その後、処理は、ステップＳ１０１に戻る。
【００３２】
一方、ステップＳ１０３において電気錠１２が施錠状態である場合には、処理は、ステップＳ１０６に進む。
【００３３】
ステップＳ１０６では、電気錠制御装置１３が電気錠１２を解錠する。その後、処理は、ステップＳ１０７に進む。
【００３４】
ステップＳ１０７では、電気錠制御装置１３が、インターホン親機３へ帰宅情報を送信する。これにより、電気錠システム１は、非接触キーのＩＤ情報と登録情報が一致し、かつ電気錠１２が施錠状態であるときにインターホン親機３へ帰宅情報を送信することとなる。その後、処理は、ステップＳ１０１に戻る。
【００３５】
つぎに、図６を参照して、本発明の第１実施形態に係るインターホン親機３の処理動作について説明する。
【００３６】
本発明の第１実施形態に係るインターホン親機３の処理動作は当該インターホン親機３の電源がオンされて初期動作が完了したタイミングで開始される。
【００３７】
ステップＳ２０１では、制御部３６が、電気錠システム１からの外出情報を電気錠通信部３１が受信したか否かを判断する。そして、処理は、電気錠システム１からの外出情報を受信したタイミングでステップＳ２０２に進む。
【００３８】
ステップＳ２０２では、制御部３６が、防犯センサー２からの検知情報を警報受信部３２が受信したか否かを判断する。そして、処理は、防犯センサー２からの検知情報を受信したタイミングでステップＳ２０３に進む。なお、防犯センサー２からの検知情報を受信するまでの間に電気錠システム１からの帰宅情報を受信した場合には後述するステップＳ２０５に進む。
【００３９】
ステップＳ２０３では、制御部３６が、警報受信部３２により受信された防犯センサー２の検知情報をその検知時刻とともに検知履歴として記憶部３３に保存する。その後、処理は、ステップＳ２０４に進む。
【００４０】
ステップＳ２０４では、制御部３６が、電気錠システム１からの帰宅情報を電気錠通信部３１が受信したか否かを判断する。電気錠システム１からの帰宅情報を受信した場合には、処理は、ステップＳ２０５に進む。一方、電気錠システム１からの帰宅情報を受信していない場合には、処理は、ステップＳ２０２に戻る。これにより、インターホン親機３は、電気錠システム１からの外出情報を受信してから帰宅情報を受信するまでの防犯センサー２からの検知情報をその検知時刻とともに検知履歴として記憶することとなる。
【００４１】
ステップＳ２０５では、制御部３６が、防犯センサー２の検知履歴を記憶部３３から読み出して音声メッセージ作成部３４へ出力する。その後、処理は、ステップＳ２０６に進む。
【００４２】
ステップＳ２０６では、音声メッセージ作成部３４が、防犯センサー２の検知履歴に基づいて音声メッセージを作成して親機通話部３５へ出力する。この際、音声メッセージ作成部３４は、たとえば、「○○時△△分、窓開閉センサー（番号）が作動しました・・・○○時××分、熱線センサー（番号）が作動しました・・・」というような音声メッセージを作成する。その後、処理は、ステップＳ２０７に進む。
【００４３】
ステップＳ２０７では、親機通話部３５が、音声メッセージ作成部３４により作成された音声メッセージを音声信号としてドアホン子器４へ送信する。これにより、インターホン親機３は、電気錠システム１からの帰宅情報を受信したときに防犯センサー２の検知履歴をドアホン子器４のスピーカー４１ｂから音声メッセージとして通知することとなる。その後、処理は、ステップＳ２０１に戻る。
【００４４】
以上の説明から明らかなように、本発明の第１実施形態では、電気錠システム１は、非接触キーのＩＤ情報と登録情報が一致し、かつ電気錠１２が施錠状態であるときにインターホン親機３へ帰宅情報を送信する。そして、インターホン親機３は、電気錠システム１からの帰宅情報を受信したときに防犯センサー２の検知履歴をドアホン子器４のスピーカー４１ｂから音声メッセージとして通知する。このため、本発明の第１実施形態によれば、帰宅した居住者が住居内にいる不審者と鉢合わせするのを回避することができる。
【００４５】
また、本発明の第１実施形態では、インターホン親機３は、電気錠システム１からの帰宅情報を受信したときに検知時刻を含む防犯センサー２の検知履歴をドアホン子器４のスピーカー４１ｂから音声メッセージとして通知する。このため、本発明の第１実施形態によれば、検知時刻がかなり前の場合には住居内に入り、検知時刻が少し前の場合には人を呼びに行くなどの対応を居住者が取りやすくなる。
【００４６】
［第２実施形態］
つぎに、図７，８を参照して、本発明の第２実施形態となるインターホンシステムの構成について第１実施形態との相違点を中心に説明する。
【００４７】
本発明の第２実施形態となるインターホンシステムは、第１実施形態と異なり、電気錠システム１は、図７に示すように、非接触キーリーダー１１を備えておらず、電気錠制御装置１３は、電気錠１２が施錠状態から解錠状態に切り替わったか否かを判断し、電気錠１２が施錠状態から解錠状態に切り替わったときにインターホン親機３へ帰宅情報を送信する。
【００４８】
また、インターホン親機３は、図８に示すように、居住者が留守設定を行うための留守設定釦３７を新たに備えている。
【００４９】
つぎに、図９を参照して、本発明の第２実施形態に係る電気錠システム１の処理動作について説明する。
【００５０】
本発明の第２実施形態に係る電気錠システム１の処理動作は各機器の電源がオンされて初期動作が完了したタイミングで開始される。
【００５１】
ステップＳ３０１では、電気錠制御装置１３が、電気錠１２が施錠状態から解錠状態に切り替わったか否かを判断する。そして、処理は、電気錠１２が施錠状態から解錠状態に切り替わったタイミングでステップＳ３０２に進む。
【００５２】
ステップＳ３０２では、電気錠制御装置１３が、インターホン親機３へ帰宅情報を送信する。これにより、電気錠システム１は、電気錠１２が施錠状態から解錠状態に切り替わったときにインターホン親機３へ帰宅情報を送信することとなる。その後、処理は、ステップＳ３０１に戻る。
【００５３】
つぎに、図１０を参照して、本発明の第１実施形態に係るインターホン親機３の処理動作について説明する。
【００５４】
本発明の第１実施形態に係るインターホン親機３の処理動作は当該インターホン親機３の電源がオンされて初期動作が完了したタイミングで開始される。
【００５５】
ステップＳ４０１では、制御部３６が、留守設定釦３７を用いて居住者により留守設定が行われたか否かを判断する。そして、処理は、居住者により留守設定が行われたタイミングでステップＳ４０２に進む。以降、ステップＳ４０２からステップＳ４０７までの処理は、第１実施形態におけるステップＳ２０２からステップＳ２０７までの処理と同様であるので説明を省略する。
【００５６】
以上の説明から明らかなように、本発明の第２実施形態では、電気錠システム１は、電気錠１２が施錠状態から解錠状態に切り替わったときにインターホン親機３へ帰宅情報を送信する。そして、インターホン親機３は、電気錠システム１からの帰宅情報を受信したときに防犯センサー２の検知履歴をドアホン子器４のスピーカー４１ｂから音声メッセージとして通知する。このため、本発明の第２実施形態によれば、帰宅した居住者が住居内にいる不審者と鉢合わせするのを回避することができる。
【００５７】
また、本発明の第２実施形態では、インターホン親機３は、電気錠システム１からの帰宅情報を受信したときに検知時刻を含む防犯センサー２の検知履歴をドアホン子器４のスピーカー４１ｂから音声メッセージとして通知する。このため、本発明の第２実施形態によれば、検知時刻がかなり前の場合には住居内に入り、検知時刻が少し前の場合には人を呼びに行くなどの対応を居住者が取りやすくなる。
【００５８】
なお、上記の第１実施形態及び第２実施形態では、防犯センサー２の検知履歴をドアホン子器４のスピーカー４１ｂから音声メッセージとして通知しているが、他の実施形態では、ドアホン子器４に表示部を設けて、防犯センサー２の検知履歴をこの表示部から文字メッセージとして通知しても良く、また、ドアホン子器４から通知するのではなく、玄関先に設置されるその他の機器から通知しても良い。
【００５９】
また、第１実施形態では、居住者を認証するために必要な認証情報を取得する装置として非接触キーのＩＤ情報を取得する非接触キーリーダー１１を用いているが、他の実施形態では、人間の生体情報を取得する指静脈認証リーダーなどを用いても良い。
【００６０】
さらに、第１実施形態では、電気錠１２が解錠状態であるときに、非接触キーのＩＤ情報と登録情報とが一致するか否かにより居住者の帰宅を検出しており、また、第２実施形態では、電気錠１２が施錠状態から解錠状態に切り替わったか否かにより居住者の帰宅を検出しているが、他の実施形態では、当業者が考えうるその他の方法により居住者の帰宅を検出してもよい。これらの場合においても、本実施形態と同様の効果を奏することができる。
【００６１】
以上、本発明者によってなされた発明を適用した実施形態について説明したが、この実施形態による本発明の開示の一部をなす論述及び図面により本発明が限定されることはない。すなわち、上記の実施形態に基づいて当業者によってなされる他の実施形態、実施例、及び運用技術などはすべて本発明の範囲に含まれることを付け加えておく。
【図面の簡単な説明】
【００６２】
【図１】本発明の第１実施形態となるインターホンシステムの構成を示すシステム図である。
【図２】本発明の第１実施形態に係る電気錠システムの構成を示すブロック図である。
【図３】本発明の第１実施形態に係るインターホン親機の構成を示すブロック図である。
【図４】本発明の第１実施形態に係るドアホン子器の構成を示すブロック図である。
【図５】本発明の第１実施形態に係る電気錠システムの処理動作を示すフローチャートである。
【図６】本発明の第１実施形態に係るインターホン親機の処理動作を示すフローチャートである。
【図７】本発明の第２実施形態に係る電気錠システムの構成を示すブロック図である。
【図８】本発明の第２実施形態に係るインターホン親機の構成を示すブロック図である。
【図９】本発明の第２実施形態に係る電気錠システムの処理動作を示すフローチャートである。
【図１０】本発明の第２実施形態に係るインターホン親機の処理動作を示すフローチャートである。
【符号の説明】
【００６３】
１：電気錠システム
１１：非接触キーリーダー（認証情報取得手段）
１２：電気錠
１３：電気錠制御装置（認証情報判断手段、帰宅情報送信手段、及び施解錠判断手段）
２：防犯センサー
３：インターホン親機
３１：電気錠通信部（帰宅情報受信手段）
３２：警報受信部（検知情報受信手段）
３３：記憶部（検知履歴記憶手段）
３４：音声メッセージ作成部（検知履歴通知手段）
３５：親機通話部（検知履歴通知手段）
３５ａ：マイクロホン
３５ｂ：スピーカー
３６：制御部（検知履歴記憶手段及び検知履歴通知手段）
３７：留守設定釦
４：ドアホン子器
４１：子器通話部
４１ａ：マイクロホン
４１ｂ：スピーカー（音声出力部）
【図１】
2010035128.tif 000003
【図２】
2010035128.tif 000004
【図３】
2010035128.tif 000005
【図４】
2010035128.tif 000006
【図５】
2010035128.tif 000007
【図６】
2010035128.tif 000008
【図７】
2010035128.tif 000009
【図８】
2010035128.tif 000010
【図９】
2010035128.tif 000011
【図１０】
2010035128.tif 000012